(57)【要約】【課題】苗木の根系の発達を正常に維持して、移植後の苗木の活着率を格段に向上させること。苗木ポットの一部を繰り返し再利用可能にすることで、コストの問題や苗木ポット廃棄によるゴミ問題等も併せて解決すること。【解決手段】苗木１の育成に必要な育苗期間中に用いる苗木ポットであって、耐久性素材により形成された筒状の外側ポット２と、生分解性素材により形成され、外側ポット２内に挿入可能な内側ポット３とを備える。内側ポット３は、苗木１の育苗期間中に苗木１の主根１１がルーピングを生じない深さに形成されている構成とした。【選択図】図１
2007244265.tif 000002
【特許請求の範囲】
【請求項１】
苗木の育成に必要な育苗期間中に用いる苗木ポットであって、
耐久性素材により形成された筒状の外側ポットと、
生分解性素材により形成され、前記外側ポット内に挿入可能な内側ポットとを備え、
前記内側ポットは、前記苗木の育苗期間中に苗木の主根がルーピングを生じない深さに形成されている、苗木ポット。
【請求項２】
苗木の育成に必要な育苗期間中に用いる苗木ポットであって、
耐久性素材により形成された筒状の外側ポットと、
生分解性素材により形成され、前記外側ポット内に挿入可能な内側ポットとを備え、
前記内側ポットは、前記育苗期間中に発達する苗木の主根の長さ以上の深さに形成されている、苗木ポット。
【請求項３】
前記内側ポットは、前記外側ポットに挿入された状態で少なくとも１８ｃｍの深さを有するように形成されている、請求項１又は２に記載の苗木ポット。
【請求項４】
前記外側ポットの底部近くの内周面に、前記内側ポットの底部を支持する支持部材が設けられている、請求項１〜請求項３の何れかに記載の苗木ポット。
【請求項５】
前記支持部材は弾力性をもつ複数の棒状材を有し、前記外側ポットには前記棒状材の端部を差し込んで外側ポットの内径方向に差し渡すための切り欠きが形成されている、請求項４に記載の苗木ポット。
【請求項６】
請求項１〜請求項５の何れかに記載の苗木ポットを用いた植栽方法であって、
苗木の育成に必要な期間、前記苗木ポットで苗木を育成する育苗工程と、
育苗工程終了後の苗木を植栽地に移植する移植工程とを有し、
前記育苗工程では、養土及び苗木を収容する内側ポットを外側ポットに挿入して育苗し、
前記移植工程では、前記内側ポットを外側ポットから抜き出して、その内側ポットと共に苗木を移植することを特徴とする植栽方法。
【請求項７】
前記内側ポットを外側ポットから抜き出す際に、前記外側ポットに振動を与えることを特徴とする、請求項６に記載の植栽方法。
【発明の詳細な説明】
【技術分野】
【０００１】
本発明は、植物の苗木を育成するための苗木ポット及びそれを用いた植栽方法に関する。
【背景技術】
【０００２】
従来の苗木ポットは、軟質樹脂により容器状に形成したものが主流であり、植栽時にはその都度苗木ポットを外して植える仕様となっている。そのため、根付近の養土が落ちこぼれ、空気に曝されることに伴う枯損が多く発生していた。
【０００３】
また、椰子繊維やリサイクル用紙材等で形成され、植栽時において苗木ポットを外す必要のないものも多種に亘り開発されてきたが、これらは何れも高コストであり、高コスト及び材質の点から小型ポットとなっている。そのため、苗木根のルーピング現象や最も重要な根系の発達を阻害する欠点が問題となっている。
【０００４】
低コストな苗木用ポットとしては、例えば特許文献１に記載されている。この苗木用ポットは、穴開きトレイに形成された上方末広がり状の凹部空間に、略扇形状又は長方形状の平板フィルムを凹部空間と同様の上方末広がり状に丸めて挿入することで、苗木の養土注入のためのポット空間を形成するものである。
【０００５】
この方法で形成する苗木用ポットは平板フィルムを利用するものであるため、低コストで提供することができる。しかし、この苗木用ポットの場合もその材質から小型ポットになってしまうため、苗木根のルーピング現象や最も重要な根系の発達を阻害する問題がある。
【特許文献１】特開２００３−３３３９３６号公報
【発明の開示】
【発明が解決しようとする課題】
【０００６】
苗木の活着率や成長度が、苗木ポットの容量に左右されることは、苗木の活着や成長阻害にストレスが最も影響を与えることが知られている。その中でも水ストレスの影響が最も激しいものがある。植生にとり水分は、少なくても多くても多大な影響を与えるものである。
【０００７】
従来の苗木ポットの多くは、軟質樹脂製で大きさは高さ９ｃｍから１５ｃｍ、直径７ｃｍから１２ｃｍが標準であった。また、苗木の発芽・育成に必要とするポット容量は、裁頭円錐形の容積に比例するものと単純に考えられてきたが、本出願の発明者等が実際に苗木を育成した事例では、苗木の生長は苗木ポットの容量に比例するものの、むしろ苗木ポットの長さが成長度と植栽後（移植後）の活着に著しい影響を与えることが明らかとなった。
【０００８】
その定量的理由は、苗木ポットでの育苗時における樹木の主根・側根の発達が、幹・枝などの地上部の発達より、植栽後の個体の成長速度と各種のストレス耐性に数倍の有効性が認められるからである。即ち、根の発達が苗木ポットの形状の開口の大きさより深さに関係し、そのことが水分ストレスの高い植栽地での活着率に好結果をもたらすのである。
【０００９】
ちなみに、開口が広くても底の浅い形状のものは、主根が鉢底に到達し、やたら伸びるもののルーピングを起こし、側根は細根の発達が遅い特徴が見られる。主根が鉛直方向に発達し、側根に十分な細根が分岐して発達していれば、植栽地の新しい土壌環境における
各種ストレスに対し、植栽後の根の伸長度や根に蓄えられた養分量による地上部の発達が耐性を経過的に高めていくこととなる。
【００１０】
よって、本発明の課題は、苗木の根系の発達を正常に維持して、移植後の苗木の活着率を格段に向上させることができ、しかも、苗木ポットの一部を繰り返し再利用可能にすることで、コストの問題や苗木ポット廃棄によるゴミ問題等も併せて解決することができる苗木ポット及びそれを用いた植栽方法を提供することにある。
【課題を解決するための手段】
【００１１】
前記課題を解決するため、本発明では以下の手段を採用した。
本発明は、苗木の育成に必要な育苗期間中に用いる苗木ポットであって、耐久性素材により形成された筒状の外側ポットと、生分解性素材により形成され、前記外側ポット内に挿入可能な内側ポットとを備え、前記内側ポットは、前記苗木の育苗期間中に苗木の主根がルーピングを生じない深さに形成されている構成とした。
【００１２】
本発明によれば、内側ポットは、苗木の育苗期間中にその主根がルーピングを生じない深さに形成されているので、苗木の根系の発達を正常に維持して、移植後の苗木の活着率を格段に向上させることができる。苗木の根系を正常に発達させるという観点からすれば、内側ポットは深いほど良い。しかし、深くすればするほど、苗木ポット全体も高くなり、その分、安定性が悪くなる。従って、内側ポットの深さとしては、少なくとも苗木の育苗期間中に苗木の主根がルーピングを発生しない深さが必要である。
【００１３】
また、内側ポットは生分解性素材により形成されているので、外側ポットから苗木を内側ポットごと外してそのまま移植することができる。従って、移植時において根付近の養土が落ちこぼれ、空気に曝されることに伴う枯損の発生を未然に防止することができ、この点からも苗木の活着率を高めることができる。さらに、外側ポットは耐久性素材により形成されているので、この外側ポットを繰り返し再利用することが可能になり、これによりコストの問題や苗木ポット廃棄によるゴミ問題等も併せて解決することができる。
【００１４】
ここで、前記内側ポットとしては、苗木の育苗期間中に苗木の主根の先端が内側ポットの底部に達しない深さとしても良い。即ち、内側ポットは、育苗期間中に発達する苗木の主根の長さ以上の深さとしても良い。苗木の主根の長さは、苗木の種類（樹種）や育苗期間等によっても相違するが、それらは計画的に育苗することによって初めから想定あるいは試験育苗により予め求めておくことができる。試験育苗によれば、内側ポットは、外側ポットに挿入された状態で少なくとも１８ｃｍの深さを有するように形成しておくことが望ましい。
【００１５】
本発明では、前記外側ポットの底部近くの内周面に、前記内側ポットの底部を支持する支持部材を設けておくことが望ましい。この支持部材によって内側ポットを底上げした形態とすることができるからである。
【００１６】
本発明の苗木ポットは、外側ポット及び内側ポットの両方を筒状に形成することができる。その場合、前記支持部材上に、内側ポット内に充填される養土を保持するための透水性のある底面材を敷設することが望ましい。外側ポット及び内側ポットの両方を筒状に形成することで双方の成形性や制作性を良くし低コスト化を図ることができるからである。
【００１７】
前記支持部材としては、弾力性をもつ複数の棒状材を有し、前記外側ポットには前記棒状材の端部を差し込んで外側ポットの内径方向に差し渡すための切り欠きが形成されていることが望ましい。支持部材をこのように構成した場合、外側ポットに対する支持部材の着脱操作を簡便に行うことができる。
【００１８】
一方、本発明は上記のような構成の苗木ポットを用いた植栽方法であって、苗木の育成に必要な期間、前記苗木ポットで苗木を育成する育苗工程と、育苗工程終了後の苗木を植栽地に移植する移植工程とを有し、前記育苗工程では、養土及び苗木を収容する内側ポットを外側ポットに挿入して育苗し、前記移植工程では、前記内側ポットを外側ポットから抜き出して、その内側ポットと共に苗木を移植する方法を採用した。
【００１９】
本発明の移植方法によれば、耐久性素材からなる外側ポットと生分解性素材からなる内側ポットとを有する苗木ポットを用いて育苗し、移植時には内側ポットを外側ポットから抜き出してその内側ポットと共に苗木を移植する方法を採用したので、苗木ポットでの根系の発達を正常に維持し、移植時においては根付近の養土が落ちこぼれ、空気に曝されることに伴う苗木枯損の発生を未然に防止することができる。これにより、移植後の苗木の活着率を格段に向上させることができる。さらに、外側ポットを繰り返し再利用可能にすることで、コストの問題や苗木ポット廃棄によるゴミ問題等も併せて解決することができる。
【００２０】
ここで、前記内側ポットを外側ポットから抜き出す際に、前記外側ポットに振動を与えることが望ましい。外側ポット及び内側ポットが共に円筒状に形成されている場合には、共に逆円錐台状に形成されている場合に比べて内側ポットを抜き出し難いことも考えられる。その場合には、このように外側ポットに振動を与えることで、内側ポットを容易に抜き出すことができる。
【発明の効果】
【００２１】
本発明の苗木ポット及びそれを用いた植栽方法によれば、苗木の根系の発達を正常に維持して、移植後の苗木の活着率を格段に向上させることができ、しかも、苗木ポットの一部を繰り返し再利用可能にすることで、コストの問題や苗木ポット廃棄によるゴミ問題等も併せて解決することができる。
【発明を実施するための最良の形態】
【００２２】
以下、本発明の好適な実施例について、図面を参照して説明する。
図１は、本発明の実施例１に係る苗木ポットの分解斜視図である。図２（ａ）は実施例１に係る苗木ポットの支持部材の平面図、（ｂ）は実施例１に係る苗木ポットの一部切り欠き平面図、（ｃ）は実施例１に係る苗木ポットの平面図である。図３は実施例１に係る苗木ポットの断面図である。
【００２３】
（実施例１）
この実施例１に係る苗木ポットは、苗木１の育成に必要な育苗期間中に用いるもので、耐久性素材により形成された円筒状の外側ポット２と、生分解性素材により形成され、外側ポット２内に挿入可能な同じく円筒状の内側ポット３とを備えている。内側ポット３は、苗木１の育苗期間中に苗木１の主根１１がルーピングを生じない深さ（高さ）に形成されている。１２は側根を示している。
【００２４】
次いで、これらの詳細について説明する。外側ポット２は、塩化ビニール等の耐久性のある合成樹脂により円筒状に形成されている。例えば高さが３０ｃｍ、内径１２．５ｃｍ、肉厚７．５ｍｍの、いわゆる塩ビ管により形成されている。そして、この円筒状の外側ポット２の一端近く、即ち底部近くの周壁部分には、後述するスロット状の切り欠き２１が複数設けられている。
【００２５】
この外側ポット２は、市販の塩ビ管を長さ３０ｃｍ程度に切断したのち、切り欠き２１を設けることで、簡便に制作することができる。勿論、初めからこのように樹脂成形して
もよい。但し、その場合には肉厚を３ｍｍ程度としても、耐久性及び必要な強度を十分に付与することができる。また、塩ビ以外の他の耐久性のある樹脂で成形することもできる。
【００２６】
内側ポット３は、例えば紙（リサイクル紙材を含む）のような生分解性素材により、外側ポット２と同じ円筒状に形成されている。但し、この内側ポット３の外径は外側ポット２の内径よりも僅かに小さく、例えば外径１２ｃｍ程度に形成されている。この内側ポット３の高さＢは外側ポット２の高さＡよりも低く、例えばＡ−α程度の高さに形成されている。ここで、αは外側ポット２の下端から切り欠き２１までの高さを示している。
【００２７】
内側ポット３の素材には、それ自体生分解される期間が、少なくとも苗木１の育苗期間よりも長いものが用いられる。勿論、育苗期間終了後の移植時においても内側ポット３自体が養土等を保持可能な強度を維持しているように配慮したものが望ましい。例えば、育苗期間３年の場合、４〜６年程度の生分解期間を例示することができる。
【００２８】
外側ポット２には、内側ポット３の底部を支持する支持部材５が設けられる。この支持部材５は、適度な弾力性を有する素材、例えば竹籤（たけひご）等により細長い薄板状に形成した複数（３つ）の棒状材５１により構成されている。この３つの棒状材５１は、それらの凸状の端部５２を切り欠き２１にそれぞれ差し込んで外側ポット２の内径方向に差し渡すことができる長さに形成されている。図示例の棒状材５１は、図３に示すように、上方へ若干撓む形態となる長さに形成されている。
【００２９】
複数の切り欠き２１は、外側ポット２の周方向に間隔をおいて６カ所設けられている。図示例では、周方向に６等分した位置にそれぞれ設けられている。これらスロット状の切り欠き２１は正面からみて長方形に形成され、外側ポット２の周壁部分をその肉厚方向に貫通している。
【００３０】
支持部材５を構成する３つの棒状材５１は、外側ポット２内の中央部分で三段に重なるため、互いに段差が生じる。この段差を許容する構成とするために、切り欠き２１を設ける位置（高さα）も三段に変化させている。
【００３１】
この苗木ポットを、苗木１の育苗に用いる場合には、図３に示すように、外側ポット２に支持部材５をセットし、その上に例えば椰子製マットのような透水性のある底面材６を敷いた上で、内側ポット３を外側ポット２内に挿入する。次いで、この内側ポット３内の底部（底面材６の上）に、必要に応じて軽石７等を敷き、その上に養土８を充填して使用する。苗木１は、種子から発芽させる場合と、発芽後の小さい苗木をこの苗木ポットに移し替えて育苗する場合とがある。
【００３２】
この苗木ポットは十分な深さを備えているため、その育苗期間中、苗木１の根系の発達が正常に維持される。苗木１の育苗期間終了後には、内側ポット３を外側ポット２から抜き出して、その内側ポット３と共に苗木１を目的とする植栽地へ移植する。
【００３３】
この移植に際しては、植栽地に掘った穴に内側ポット３と共に苗木１を移植するため、移植時においては根付近の養土が落ちこぼれ、空気に曝されることに伴う苗木枯損の発生を防ぐことができる。しかも、内側ポット３は生分解性素材により形成されているのて、生分解後には肥料としての作用を発揮する。これらにより、移植後の苗木１の活着率を格段に向上させることができる。
【００３４】
また、内側ポット３は紙等により単なる円筒状に形成すればよいので、極めて安価に制作できる。また、外側ポット２は、従来のポットのように底すぼまりの形態ではなく、全
体が円筒状であるので、高さが高いわりには安定性も確保される。さらに、外側ポット２を繰り返し再利用可能にすることで、コストの問題や苗木ポット廃棄によるゴミ問題等も併せて解決することができる。
【００３５】
試験育苗結果から得られた苗木ポットの長さと、苗木移植後の活着率との関係を以下に示す。苗木１の樹種は、ウリハダカエデ、リョウブ、ヤマモミジ、グンコウバイである。但し、移植地の地質は磯混じり乾燥土壌である。ポット規格の高さに関しては、内側ポットの高さを基準にした。
（１）ポット規格…高さ１２ｃｍ  間口１２．０ｃｍ    枯損率…１１．０％
（２）ポット規格…高さ１８ｃｍ  間口１０．５ｃｍ    枯損率…  ３．３％
（３）ポット規格…高さ２２ｃｍ  間口１０．５ｃｍ    枯損率…  ０．４％
【００３６】
この試験育苗結果から、ポット規格の高さが１８ｃｍ以上になると、枯損率が３．３％以下ととなり、ポット規格の高さ１２ｃｍのときの枯損率１１％に比べて活着率が極端に向上することが分かる。
【００３７】
従って、内側ポット３は、外側ポット２に挿入された状態で少なくとも１８ｃｍの深さ（ポット規格高さ）を有するように形成されていることが望ましい。勿論、内側ポット３の深さは、例えば１５ｃｍ以上でも有効であると考えられるが、その分、枯損率も高くなる不具合がある。従って、許容範囲の枯損率を３％前後とした場合、少なくとも１８ｃｍの深さを有することが望ましい。
【００３８】
ここで、内側ポット３の深さに関しては、本質的には、苗木１の育苗期間中に苗木１の主根１１がルーピングを生じない深さ（高さ）に形成される。この主根１１がルーピングを生じない深さとは、主根１１がポット底部に達してからさらに延びてルーピングを起こす直前の状態も含まれる。従って、内側ポット３の深さは、苗木１の育苗期間中に苗木１の主根１１の先端が内側ポット３の底部に達しない深さに形成されている場合も当然に含まれる。さらに、内側ポット３の深さは、育苗期間中に発達する苗木の主根の長さ以上の深さに形成されている場合も含まれる。
【００３９】
但し、内側ポット３の深さを必要以上に深くすることは、結果的に苗木ポット全体の高さが高くなる。従って、内側ポット３の深さの最も好ましい範囲としては、主根１１がルーピングを生じない範囲の深さである。
【００４０】
（実施例２）
図４、図５（ａ）、（ｂ）図６及び図７に、苗木ポットの他の実施例を示す。なお、同実施例において、先の実施例１で示した構成要素と基本的に同一の構成要素については同一符号を付してその説明を簡略化する。
【００４１】
この実施例２の苗木ポットも、耐久性素材により形成された円筒状の外側ポット２と、生分解性素材により形成され、外側ポット２内に挿入可能な同じく円筒状の内側ポット３とを備えている。そして、内側ポット３は、苗木１の育苗期間中に苗木１の主根１１がルーピングを生じない深さ（高さ）に形成されている。
【００４２】
相違点としては、外側ポット２の内周面２２に複数（６つ）の突条２３が設けられ、これらの突条２３に、支持部材５を構成する棒状材５１の端部５２を差し込んで装着するための切り欠き２１がそれぞれ設けられている点、突条２３との関係において内側ポット３の外径が若干大きく形成されている点である。
【００４３】
各突条２３は外側ポット２の高さの全長に亘る長さに形成され、かつ、外側ポット２の
周方向に等間隔をおいて設けられている。切り欠き２１は、外側ポット２の底部近くの突条２３部分に設けられている。また、支持部材５を構成する３つの棒状材５１の重なりによる段差を許容するために、切り欠き２１を設ける位置（高さα）も実施例１と同様に三段に変化している。
【００４４】
この実施例２では、生分解性素材からなる内側ポット３の外径を大き目に形成してあるので、内側ポット３内に養土を充填した状態では、図５（ａ）、（ｂ）に示すように、内側ポット３は外側ポット２の内周面２２に馴染むように変形する。育苗期間終了後の移植時においては、外側ポット２の内周面２２に複数の突条２３が存在しているため、その内周面２２に内側ポット３の外面が付着し難くなる。これにより、外側ポット２から苗木１と共に内側ポット３を抜き出す作業を容易に行うことができる。さらに、複数の突条２３の存在によって、外側ポット２の内周面２２と内側ポット３との間に隙間が形成されるので、通気性も確保される。
【００４５】
（実施例３）
図８は、苗木ポットのさらに他の実施例を示すものである。なお、同実施例において、先の実施例２で示した構成要素と基本的に同一の構成要素については同一符号を付してその説明を簡略化する。
【００４６】
この実施例３では、外側ポット２及び内側ポット３の両方を、若干底ずぼまりに形成し、全体として鉢形の苗木ポットとして構成したものである。その他の点に関しては実施例２と同様である。
【００４７】
このように構成した場合、外側ポット２から内側ポット３をさらに抜き出し易くすることができる。なお、実施例１の苗木ポットにおいても、この第３実施例のように若干底すぼまり状に形成しても良い。
【図面の簡単な説明】
【００４８】
【図１】本発明の実施例１に係る苗木ポットの分解斜視図である。
【図２】本発明の実施例１に係る苗木ポットを示すもので、（ａ）は支持部材の平面図、（ｂ）は一部切り欠き平面図、（ｃ）は平面図である。
【図３】本発明の実施例１に係る苗木ポットの縦断面図である。
【図４】本発明の実施例２に係る苗木ポットの分解斜視図である。
【図５】本発明の実施例２に係る苗木ポットを示すもので、（ａ）はその平面図、（ｂ）は苗木付きの平面図である。
【図６】本発明の実施例２に係る苗木ポットの縦断面図である。
【図７】本発明の実施例２に係る苗木ポットの外側ポットの部分断面斜視図である。
【図８】本発明の実施例３に係る苗木ポットの縦断面図である。
【符号の説明】
【００４９】
１  苗木
１１  主根
１２  側根
２  外側ポット
２１  切り欠き
２２  内周面
２３  突条
３  内側ポット
５  支持部材
５１  棒状材
５２  端部
６  底面材
７  軽石
８  養土
【図１】
2007244265.tif 000003
【図２】
2007244265.tif 000004
【図３】
2007244265.tif 000005
【図４】
2007244265.tif 000006
【図５】
2007244265.tif 000007
【図６】
2007244265.tif 000008
【図７】
2007244265.tif 000009
【図８】
2007244265.tif 000010